(57)【要約】【課題】各種の靴を確実に挟持して保持させて吊り下げることができる靴用ハンガーを提供する。【解決手段】一対の杆体１１，１２の中間部を回動自在に枢着し、この枢着部を支点として両杆体の上位部１１ａ，１２ａ側及び下位部１１ｂ，１２ｂ側を対称的に開閉するように構成したハンガー本体１の両杆体の下端部に、両杆体の開閉方向と直交する方向へ向けて挟持片２，３を固定して対設する。両杆体の上端部に、挟持片と平行方向側に向けると共に相対向して設けた吊り下げ用フック部４，５を備える。両杆体間に介装してバネ部６を設け、このバネ部で両杆体の下位部側を閉じる方向へ附勢せしめる。両挟持片で左右の靴の上端部の内側面を挟持して保持し、吊り下げる。【選択図】図１
0003119602.tif 000002
【実用新案登録請求の範囲】
【請求項１】
靴を挟持して吊り下げる靴用ハンガーであって、
一対の杆体の中間部を回動自在に枢着し、この枢着部を支点として前記両杆体の上位部側及び下位部側を対称的に開閉するように構成したハンガー本体と、
前記ハンガー本体の両杆体の下端部にそれぞれ固定して対設し、前記両杆体の下位部と同調して開閉する挟持片と、
前記ハンガー本体の両杆体の上端に、前記両杆体の開閉方向と交差する方向へ向けると共に相対向して設けた吊り下げ用フック部と、
前記ハンガー本体の両杆体間に介装し設けられ、前記両杆体の下位部側を閉じる方向へ附勢せしめたバネ部とを備えていることを特徴とする、
靴用ハンガー。
【請求項２】
前記両杆体は、中間部に対称的に略Ｖ字状ないし略Ｕ字状に屈曲した屈曲部を有し、前記両杆体は前記両屈曲部を回動自在に枢着されていることを特徴とする、請求項１に記載の靴用ハンガー。
【請求項３】
前記バネ部はコイルスプリングで構成されていることを特徴とする、請求項１又は２に記載の靴用ハンガー。
【請求項４】
前記バネ部は板バネで構成されていることを特徴とする、請求項１又は２に記載の靴用ハンガー。
【請求項５】
前記両挟持片の少なくとも対向面側における表面は合成樹脂層で被覆されていることを特徴とする、請求項１ないし４のいずれか１項に記載の靴用ハンガー。
【請求項６】
前記両杆体は、前記両杆体の下端部を他方の杆体方向へ折曲して形成した折り曲げ部を有し、前記両挟持片は前記折り曲げ部の先端に固定して設けてあることを特徴とする、請求項１ないし５のいずれか１項に記載の靴用ハンガー。
【考案の詳細な説明】
【技術分野】
【０００１】
本考案は靴用ハンガー関するものである。
【背景技術】
【０００２】
一般に靴は下駄箱に入れて保管している。しかし、下駄箱に収容できる数量は限られている。したがって、下駄箱に収容できない靴は玄関に並べて置くか、或いは靴箱に入れて積み重ねていることがしばしば見受けられる。また、例えばブーツ、特にロングブーツの場合、その材質によっては筒状部が折れ曲がり易いものがあり、そのため、一般にボール紙や新聞紙等で筒体を形成し、これをブーツ内に入れて保管している。したがって、保管作業に手間が掛かると共に下駄箱のスペースの関係で収容できる数量も極く限られることになる。そのため、前記と同様に玄関に並べて置いてあるが、ロングブーツは横転し易い問題がある。
【０００３】
従来、靴用ハンガーとして、靴の踵部分から靴の前方に亘って靴底の周縁に沿って挟着保持するＵ字状挟着保持部と、当該Ｕ字状挟着保持部のそれぞれの開口側先端部に上向きに連設され、協働して靴底を横方向から挟着保持する２つの挟着凹部と、当該挟着凹部の他端から延設した吊り下げフック部とを備えた靴用ハンガー（以下、「従来例」という）が提案されている（例えば、特許文献１参照）。
【０００４】
従来例は、靴の底面を上方に向けた状態で靴底を挟着凹部に通過させ、Ｕ字状挟着保持部へ踵部分側から差し入れて、踵部分を前記挟着保持部の頂部に当接させて靴を挟着保持して吊り下げるものである。また、靴を靴用ハンガーから取り外すときは、前記と逆方向に靴をスライドさせて引き抜くように構成されている。
従来例によれば、ブーツや短靴その他の靴を挟着保持して吊り下げて保管することができる。
【０００５】
しかし、従来例は次のような点において問題を有している。（１）針金等でＵ字状に形成した保持部で靴底を挟着保持するものであるため、靴の重量が重い場合には靴が落下する恐れがある。（２）靴底をＵ字状挟着保持部間に摺接しながら押し入れて挟着保持させ、また、摺接しながら引き抜くものであるため、靴の押し入れ時及び引き抜き時に、靴の摺接部分を摩擦等により痛めるおそれがある。（３）靴のサイズに対応してＵ字状挟着保持部間の両杆間の幅を靴のサイズに対応して調整する必要がある。（４）靴の種類、例えばハイヒール形のブーツ等の靴の場合、靴底の厚みが薄いものがあるが、このような靴の場合においては、靴底を挟着保持させる作業に手間が掛る。
【特許文献１】特開２００４−２０２０７６号公報
【考案の開示】
【考案が解決しようとする課題】
【０００６】
本考案は上記のような実情に鑑みてなされたもので、上記（１）〜（４）のような問題を解決し得る靴用ハンガーを提供することを目的とするものである。
【課題を解決するための手段】
【０００７】
上記目的を達成するため、本考案のうち１つの考案（第１の考案）は、靴を挟持して吊り下げる靴用ハンガーであって、一対の杆体の中間部を回動自在に枢着し、この枢着部を支点として前記両杆体の上位部側及び下位部側を対称的に開閉するように構成したハンガー本体と、前記ハンガー本体の両杆体の下端部にそれぞれ固定して対設し、前記両杆体の下位部と同調して開閉する挟持片と、前記ハンガー本体の両杆体の上端に、前記両杆体の開閉方向と交差する方向へ向けると共に相対向して設けた吊り下げ用フック部と、前記ハンガー本体の両杆体間に介装し設けられ、前記両杆体の下位部側を閉じる方向へ附勢せしめたバネ部とを備えていることを特徴とする。なお、本考案の靴用ハンガーは、ブーツ，短靴，防寒靴，スニーカー，雨靴、その他のすべての靴に適応される。
【０００８】
本考案の靴用ハンガーは、左右両方の靴を揃えて合わせた状態で、両挟持片で靴の上端部の内側面を挟持して保持して吊り下げるものである。
本考案において、前記バネ部は、コイルスプリング、或いは板バネ等で構成することができる。
【０００９】
本考案のうち他の１つの考案（第２の考案）は、第１の考案の靴用ハンガーにおいて、前記両杆体は、中間部に対称的に略Ｖ字状ないし略Ｕ字状に屈曲した屈曲部を有し、前記両杆体は前記両屈曲部を回動自在に枢着されていることを特徴とする。
【００１０】
本考案のうち他の１つの考案（第３の考案）は、第１又は第２の考案の靴用ハンガーにおいて、前記両挟持片の少なくとも対向面側における表面は合成樹脂層で被覆されていることを特徴とするものである。この場合、前記両挟持片の全体を合成樹脂層で被覆する構成を採用してもよいこと勿論である。
【００１１】
本考案のうち他の１つの考案（第４の考案）は、第１ないし第３のいずれかに記載の靴用ハンガーにおいて、前記両杆体は、前記両杆体の下端部を他方の杆体方向へ折曲して形成した折り曲げ部を有し、前記両挟持片は前記折り曲げ部の先端に固定して設けてあることを特徴とする。
【考案の効果】
【００１２】
本考案によれば次のような効果を奏する。（１）左右両方の靴を合わせた状態で両挟持片で靴の上端部の内側面を挟持して保持するものであるから、靴の種類や型式、或いは大きさ等に関係なく、各種の靴を確実に挟持して整然と保持し、吊り下げることができる。（２）靴の上端部の内側面を両挟持片で挟持して保持するものであるから従来例のように靴を痛めるのを防止することができる。（３）ハンガー本体の両杆体の上端部にフック部を設け、両フック部で吊り下げるように構成してあるので、ハンガーを安定して整然と吊り下げることができる。
【考案を実施するための最良の形態】
【００１３】
以下、図面を参照して本考案の靴用ハンガーの実施の形態の一例を説明する。
【００１４】
図１は本考案の靴用ハンガーの一実施の形態を示す斜視図、図２は同上ハンガーの正面図及び側面図、図３は同上ハンガーの一部を拡大すると共に両挟持片側の部分を断面とし、作用状態を示す正面図、図４は同じく作用状態を示す説明図、図５は同上ハンガーの使用状態を示す説明図である。
【００１５】
上記図１ないし図５において、この実施の形態の靴用ハンガーは、靴を挟持して吊り下げる靴用ハンガーであって、ハンガー本体１と、挟持片２，３と、吊り下げ用フック部４，５、及びバネ部６とを備えている。
【００１６】
前記ハンガー本体１は、適当な太さ及び長さの一対の金属製等の杆体１１，１２の中間部をビス等１３で回動自在に枢着し、この枢着部を支点として両杆体１１，１２の上位部１１ａ，１２ａ側（略上半部側）及び下位部１１ｂ，１２ｂ側（略下半部側）を対称的に開閉するように構成してなっている。即ち、ハンガー本体１はビス等１３による枢着部を支点として、例えば上半部１１ａ，１２ａ側が互に接近する方向へ回動することにより、下半部１１ｂ，１２ｂ側が互に離反するように構成されている。
【００１７】
この実施の形態のハンガー本体１は、両杆体１１，１２の中間部に対称的に略Ｖ字状ないし略Ｕ字状（図示では略Ｖ字状）に屈曲した屈曲部１１ｃ，１２ｃを形成すると共に両屈曲部１１ｃ，１２ｃの先端側を扁平状に形成してある。そして、前記扁平状に形成した部分を重ね合わせてビス等１３で回動自在に枢着してある。
この場合、前記屈曲部１１ｃ，１２ｃを設けることなく、例えば、両杆体１１，１２の中間部に適当な長さの取付片等を固定して設け、この両取付片等の先端部をビス等で回動自在に枢着する等の構成を採用してもよい。要は両杆体１１，１２の中間部を回動自在に枢着し、この枢着部を支点として両杆体の上位部１１ａ，１２ａ側及び下位部１１ｂ，１２ｂ側が対称的に開閉するように構成すればよいものである。
【００１８】
前記両挟持片２，３は、前記ハンガー本体１の両杆体１１，１２の下端部にそれぞれ固定して相対向させ、前記両杆体１１，１２の下位部と同調して開閉するように設けてある。
この実施の形態では、前記両挟持片２，３はハンガー本体１の両杆体１１，１２の開閉方向と直交する方向へ向けて中間部を両杆体１１，１２の下端部にそれぞれ固定して対設してある。また、この実施の形態では両杆体１１，１２の下端部、即ち、両杆体の下位部１１ｂ，１２ｂ側の下端部を他方の杆体方向へ折曲して形成した折り曲り部１１ｄ，１２ｄを形成し、この折り曲り部１１ｄ，１２ｄの先端に両挟持片２，３をそれぞれ固定して設けた構成を採用している。
【００１９】
実施の形態の両挟持片２，３は適当な幅及び長さの金属製の板体２１，３１を備え、両杆体１１，１２の折り曲げ部１１ｄ，１２ｄの先端に溶接等で固着して対設してある。また、両板体２１，３１の両端部にはそれぞれ丸味を付与してあると共に両板体の両端部は、両板体の対向面と反対方向へ向けて適当な角度で屈曲してある。
また、両挟持片２，３の両板体２１，３１の少なくとも対向面側における表面は合成樹脂層２２，３２で被覆されている。この実施の形態では両板体の全体の表面及び折り曲げ部１１ｄ，１２ｄの全体を合成樹脂層２２，３２で被覆した構成を採用した例が開示されている。前記合成樹脂層２２，３２は、例えば両杆体の折り曲げ部１１ｄ，１２ｄ及び両板体２１，３１を溶融した合成樹脂材内に浸漬した後、これを乾燥処理する等により形成することができる。なお、合成樹脂層２２，３２は適度の軟性を有する合成樹脂を採用するのが好ましい。
【００２０】
前記吊り下げ用フック部４，５は、両杆体１１，１２の上端に、前記両杆体１１，１２の開閉方向と交差（図示では略直交）する方向へ向けると共に相対向して設けてある。
この実施の形態の前記吊り下げ用フック部４，５は、両杆体１１，１２の上端部に、前記挟持片２，３と平行方向側へ向けると共に相対向して設けてある。両フック部４，５は下駄箱、或いは家屋内の任意の場所等に水平に横架された掛けパイプ７等に掛けて吊り下げるもので、その形状等は特に限定するものではない。
この実施の形態のフック部４，５は、両杆体１１，１２の上端部を半円形状に彎曲して形成した例が開示されている。また、実施の形態の両フック部４，５には合成樹脂製の被覆管４１，５１が嵌合装着されている。
【００２１】
前記バネ部６は、両杆体１１，１２間に介装して設けられ、両杆体１１，１２の下位部１１ｂ，１２ｂ側を閉じる方向へ附勢せしめてある。前記バネ部６の作用により両下位部１１ｂ，１２ｂを閉じて両挟持片２，３を弾性的に圧接させるようにし、この両挟持片２，３で靴８ａ，８ｂを挟持して保持するものである。前記バネ部６の強度は適当に設定する。即ち、両挟持片２，３で左右の靴８ａ，８ｂを揃えて並べた状態で靴８ａ，８ｂの上端部の内側面を挟持し、両靴８ａ，８ｂの重量を支えて靴がずれ落ちることなく、確実に挟持して保持できるようにバネ部６の強度を設定する。
【００２２】
この実施の形態のバネ部６は、コイルスプリング６１で構成し、両杆体の下位部１１ｂ，１２ｂの中間部に位置させて、スプリング６１の一端６２を一方の杆体１１に係着すると共に他端６３を他方の杆体１２に係着し、スプリング６１の作用により両杆体１１，１２の下位部１１ｂ，１２ｂを牽引して閉じるように構成してある。この場合、バネ部６は板バネ等で構成してもよい。要は、両杆体の下位部１１ｂ，１２ｂを閉じる方向へ弾性的に力を付与させるように構成すればよいものである。
【００２３】
上記構成により、両杆体１１，１２の上位部１１ａ，１２ａを手で持ち、両上位部１１ａ，１２ａを閉じるように握力（押圧力）を付与すると、両杆体の上位部１１ａ，１２ａ側は枢着部を支点としてコイルスプリング６１に抗して閉じる方向へ回動すると共に、下位部１１ｂ，１２ｂ側は開く方向へ回動する。したがって、両挟持片２，３も同調して開く（図３、図４参照）。また、上記の状態で握力（押圧力）を解除すると、上位部及び下位部はスプリング６１の作用により元の位置に復帰し、両挟持片２，３はバネ作用により弾性的に圧接する。
【００２４】
実施の形態の靴用ハンガーは上記のように構成したもので、次に使用方法の一例について説明する。図４，図５に示すように、左右の靴８ａ，８ｂ（図示ではブーツ）を揃えて合わせ、上述したように操作して両挟持片２，３を開いた状態で靴８ａ，８ｂの上端開口部に入れ、両靴の上端部の内側面を挟持して保持させる。そして、この状態で両フック部４，５を掛けパイプ７等に掛けて吊り下げる。これにより、靴を安定、かつ確実に保持して整然と吊り下げることができる。    なお、実施の形態では、靴としてブーツを開示したが、ブーツ以外の各種の靴についても上記と同様に挟持して保持し、吊り下げるものである。
【００２５】
また、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２６】
【図１】本考案の靴用ハンガーの一実施の形態を示す斜視図である。
【図２】同上ハンガーの正面図（ａ）及び側面図（ｂ）である。
【図３】同上ハンガーの一部を拡大すると共に両挟持片側の部分を断面とし、作用状態を示す正面図である。
【図４】同じく作用状態を示す底面側から見た説明図である。
【図５】同上ハンガーの使用状態を示す説明図であって、同図（ａ）は正面図、同図（ｂ）は側面図である。
【符号の説明】
【００２７】
１          ハンガー本体
２，３      挟持片
４，５      吊り下げ用フック
６          バネ部
８ａ，８ｂ    左右の靴
１１ａ，１２ａ    上位部
１１ｂ，１２ｂ    下位部
【図１】
0003119602.tif 000003
【図２】
0003119602.tif 000004
【図３】
0003119602.tif 000005
【図４】
0003119602.tif 000006
【図５】
0003119602.tif 000007